【手続補正書】
【提出日】平成17年8月15日(2005.8.15)
【手続補正１】
【補正対象書類名】明細書
【補正対象項目名】特許請求の範囲
【補正方法】変更
【補正の内容】
【特許請求の範囲】
【請求項１】
供給された電力により動作する複数の電気部品と、
前記複数の電気部品それぞれを制御する第１の電気部品制御マイクロコンピュータを備えた第１の電気部品制御基板および第２の電気部品制御マイクロコンピュータを備えた第２の電気部品制御基板と、
遊技球が流下する遊技領域に設けられた入賞領域に入賞したことを検出し、前記第１の電気部品制御手段に検出信号を出力する遊技球検出手段と、を備え、
交流電源からの交流電圧を直流電圧に変換する整流手段と、
前記整流手段によって交流電圧から変換された直流電圧から、該直流電圧よりも低い電圧であって前記遊技球検出手段に供給される第１の直流電圧と、前記遊技球検出手段に供給される直流電圧よりも低く前記第１の電気部品制御マイクロコンピュータの駆動電源電圧である第２の直流電圧とを生成する直流電圧生成手段と、を備えた電源基板と、
前記整流手段によって交流電圧から変換された直流電圧を監視し、該直流電圧が前記第１の直流電圧よりも高い電圧である第１の検出電圧に低下したことを検出したときに第１の検出信号を出力する第１の電源監視手段とをさらに備え、
前記第１の電気部品制御基板は、前記電源基板から前記第１の直流電圧と前記第２の直流電圧とが直接供給され、
前記第２の電気部品制御基板は、前記第１の電気部品制御基板を介して直流電圧が供給され、
前記第１の電気部品制御マイクロコンピュータは、
電力供給開始時に、電力供給停止直前の内容を保持することが可能な記憶手段に保持されている保持データにもとづいて制御を再開させることが可能であり、
前記第１の検出信号の入力により所定期間内で実行可能な所定の電力供給停止時処理を実行し、該電力供給停止時処理にて、前記記憶手段の記憶内容に関連した演算の結果得られるチェックデータを前記記憶手段に保存する処理を実行し、さらに、
前記第１の電源監視手段が監視する直流電圧と同一の直流電圧を監視し、該直流電圧が、前記第１の検出電圧よりも低く、前記第１の電気部品制御マイクロコンピュータの駆動電源電圧よりも高く設定された第２の検出電圧になったときに第２の検出信号を出力する第２の電源監視手段を備え、
前記第２の電源監視手段は、前記第１の電源監視手段が前記第１の検出信号を出力した後に前記第２の電源監視手段が前記第２の検出信号を出力するまでに前記第１の電気部品制御マイクロコンピュータが前記電力供給停止時処理を完了するように設定された前記第２の検出電圧になったときに前記第１の電気部品制御マイクロコンピュータに前記第２の検出信号を出力し、
前記第１の電気部品制御マイクロコンピュータは、前記第２の検出信号の入力に応じて動作停止状態とされ、電力供給開始時に、前記チェックデータにもとづくチェックを行い、チェック結果が正常であれば前記記憶手段に保持されている保持データにもとづいて制御を再開させることを特徴とする、遊技機。
【請求項２】
前記第１の電気部品制御基板は、遊技を制御するための遊技制御マイクロコンピュータを備えた遊技制御基板を含み、
前記第２の電気部品制御基板は、前記遊技制御マイクロコンピュータから出力された電気信号に基づいて画像を可変表示させる可変表示手段を制御する表示制御マイクロコンピュータを備えた表示制御基板を含む、請求項１に記載の遊技機。
【請求項３】
前記第２の電気部品制御基板は、電気部品の制御に必要な電力を作成する電力作成手段を有する、請求項１または請求項２に記載の遊技機。
【請求項４】
前記電源基板は、遊技の進行に応じた所定条件の成立により遊技価値を付与する制御を行なうための価値付与制御マイクロコンピュータを備えた価値付与制御基板へ必要な電力を直接供給する、請求項１〜請求項３のいずれかに記載の遊技機。
【手続補正２】
【補正対象書類名】明細書
【補正対象項目名】０００６
【補正方法】変更
【補正の内容】
【０００６】
【課題を解決するための手段およびその具体例】
請求項１に記載の本発明は、供給された電力により動作する複数の電気部品（ＣＲＴ８２またはＬＣＤ２８０、スピーカ２７および遊技効果ランプ２８ｂ，２８ｃ等）と、前記複数の電気部品それぞれを制御する第１の電気部品制御マイクロコンピュータを備えた第１の電気部品制御基板（主基板３１）および第２の電気部品制御マイクロコンピュータを備えた第２の電気部品制御基板（表示制御基板８０）と、遊技球が流下する遊技領域に設けられた（遊技領域７の中央には、…可変表示装置８が設けられている。…さらに、可変表示装置８の下方には、始動口１４が構成された始動用電動役物１５と、開閉板２０の傾動により打玉の入賞可能な開放状態となる可変入賞球装置１９とが設けられている。）入賞領域に入賞したことを検出し、前記第１の電気部品制御手段に検出信号を出力する遊技球検出手段（可変入賞球装置１９の大入賞口内部には可変入賞球装置１９に入賞した玉を検出するカウントスイッチ２３が設けられている。また、大入賞口内は、特定入賞領域と通常入賞領域とに区分されており、特定入賞領域には、Ｖ入賞を検出するＶカウントスイッチ２２が設けられている。：左右２つの通過ゲート１１のうちの一方にはゲートスイッチ１２（図６参照）が設けられており：始動口１４に入賞した始動入賞玉は遊技盤６に設けられた始動口スイッチ１７（図４参照）により検出される。）と、を備え、交流電源からの交流電圧を直流電圧に変換する整流手段（図４０：整流回路９１２は、ＡＣ２４Ｖから＋３０Ｖの直流電圧を生成し、ＤＣ−ＤＣコンバータ９１３およびコネクタ９１５に出力する。）と、前記整流手段によって交流電圧から変換された直流電圧から、該直流電圧よりも低い電圧であって前記遊技球検出手段に供給される第１の直流電圧（遊技機の各種スイッチに供給される電圧が＋１２Ｖである）と、前記遊技球検出手段に供給される直流電圧よりも低く前記第１の電気部品制御マイクロコンピュータの駆動電源電圧である第２の直流電圧（各電気部品制御基板に搭載されている回路素子の電源電圧（この例では＋５Ｖ））とを生成する直流電圧生成手段（図４０は、遊技機の電源基板９１０の一構成例を示すブロック図である。…遊技機内の各電気部品制御基板および機構部品が使用する電圧を生成する。この例では、ＡＣ２４Ｖ、ＤＣ＋３０Ｖ（ＶSL）、ＤＣ＋２１Ｖ、ＤＣ＋１２Ｖ（ＶDD）およびＤＣ＋５Ｖ（Ｖcc）を生成する：整流回路９１２は、ＡＣ２４Ｖから＋３０Ｖの直流電圧を生成し、ＤＣ−ＤＣコンバータ９１３およびコネクタ９１５に出力する。ＤＣ−ＤＣコンバータ９１３は、＋２１Ｖ、＋１２Ｖおよび＋５Ｖを生成してコネクタ９１５に出力する。）と、を備えた電源基板と、前記整流手段によって交流電圧から変換された直流電圧を監視し、該直流電圧が前記第１の直流電圧よりも高い電圧である第１の検出電圧に低下したことを検出したときに第１の検出信号を出力する第１の電源監視手段（第１の電源監視回路は、遊技機が使用する各種直流電流のうちいずれかの電源の電圧を監視して電源電圧低下を検出する回路である。この実施の形態では、第１の電源監視回路は、ＶSLの電源電圧を監視して、その電圧値が所定値以下になるとローレベルの電圧低下信号を発生���る。電源電圧ＶSLは、遊技機で使用される直流電圧のうちで最大のものであってこの例では、＋３０Ｖである。：この例では、第１の電源監視手段が検出信号を出力することになる第１検出条件は＋３０Ｖ電源電圧が＋２２Ｖにまで低下したことであり…ただし、ここで用いられている電圧値は一例であって、他の値を用いてもよい。）とをさらに備え、前記第１の電気部品制御基板は、前記電源基板から前記第１の直流電圧と前記第２の直流電圧とが直接供給され（電力供給手段から必要な電力が直接供給される第１の電気部品制御手段（主基板３１））、前記第２の電気部品制御基板は、前記第１の電気部品制御基板を介して直流電圧が供給され（前記第１の電気部品制御手段を介して電力が供給される第２の電気部品制御手段（表示制御基板８０））、前記第１の電気部品制御マイクロコンピュータは、電力供給開始時に、電力供給停止直前の内容を保持することが可能な記憶手段（遊技制御用マイコン５３は、…ワークメモリとして使用されるＲＡＭ５５…を含む。これらのうち、ＲＡＭ５５については、電源基板９１０からのバックアップ用電源によってバックアップされており、不意に停電が発生しても所定時間はそのＲＡＭデータが保持される。）に保持されている保持データにもとづいて制御を再開させることが可能であり（ＣＰＵ５６等の駆動電源である＋５Ｖ電源から電力が供給されていない間、ＲＡＭの少なくとも一部は、電源基板から供給されるバックアップ電源によってバックアップされ、遊技機に対する電源が遮断しても内容は保存される。そして、＋５Ｖ電源が復旧すると、システムリセット回路６５からリセット信号が発せられるので、ＣＰＵ５６は、通常の動作状態に復帰する。そのとき、必要なバックアップ記憶情報が保存されているため、停電等からの復旧時に停電が発生した時点の遊技状態に復帰することができる。：パチンコ遊技機にとらわれず、スロット遊技機等においても、電源投入による電源断時に電源断直前のデータをバックアップＲＡＭ等に保存し、電源復旧時に保存データに基づく制御再開処理を行なうように構成されている）、前記第１の検出信号の入力により所定期間内で実行可能な所定の電力供給停止時処理を実行し、該電力供給停止時処理にて、前記記憶手段の記憶内容に関連した演算の結果得られるチェックデータを前記記憶手段に保存する処理を実行し（図４７は、電源基板９１０の電源監視回路からの電圧変化信号に基づくＮＭＩに応じて実行される停電発生ＮＭＩ処理の一例を示すフローチャートである。停電発生ＮＭＩ処理において、ＣＰＵ５６は、まず、停電時などの電源断時直前の割込許可／禁止状態をバックアップするために、割込禁止フラグの内容をパリティフラグに格納する（ステップＳ４１）。次いで、割込禁止に設定する（ステップＳ４２）。停電発生ＮＭＩ処理では、ＲＡＭ内容の保存を確実にするためにチェックサムの生成処理を行なう。その処理中に他の割込処理が行なわれたのではチェックサムの生成処理が完了しないうちにＣＰＵが動作し得ない電圧にまで低下してしまうことが考えられるので、まず、他の割込が生じないような設定がなされる。なお、停電発生ＮＭＩ処理におけるステップＳ４４〜Ｓ５０は、電力供給停止��理の一例である。：バックアップＲＡＭ領域のバックアップチェックデータ領域に適当な初期値を設定し（ステップＳ４６）、初期値およびバックアップＲＡＭ領域のデータについて順次排他的論理和をとった後反転し（ステップＳ４７）、最終的な演算値をバックアップパリティデータ領域に設定する（ステップＳ４８）。）、さらに、前記第１の電源監視手段が監視する直流電圧と同一の直流電圧を監視し、該直流電圧が、前記第１の検出電圧よりも低く、前記第１の電気部品制御マイクロコンピュータの駆動電源電圧よりも高く設定された第２の検出電圧になったときに第２の検出信号を出力する第２の電源監視手段（図３９には、システムリセット回路６５も示されているが、この実施の形態では、システムリセット回路６５は、第２の電源監視回路（第２の電源監視手段）も兼ねている。…リセットＩＣ６５１は、第１の電源監視回路が監視する電源電圧と等しい電源電圧である電源電圧ＶSLを監視して、電圧値が所定値（第１の電源監視回路が電圧低下信号を出力する電源電圧値よりも低い値）以下になるとローレベルの電圧低下信号を発生する。したがって、ＣＰＵ５６は、第１の電源監視回路からの電圧低下信号に応じて所定の電力供給停止時処理を行なった後、システムリセットされる。なお、この実施の形態では、リセット信号と第２の電源監視回路からの電圧低下信号とは同一の信号である。：そして、たとえば、第１の電源監視回路の検出電圧（電圧低下信号を出力することになる電圧）を＋２２Ｖとし、第２の電源監視回路の検出電圧を＋９Ｖとする。そのように構成した場合には、第１の電源監視回路と第２の電源監視回路とは、同一の電源の電圧ＶSLを監視するので、第１の電源監視回路が電圧低下信号を出力するタイミングと第２の電圧監視回路が電圧低下信号を出力するタイミングとの差を所望の所定時間に確実に設定することができる。所望の所定時間とは、第１の電源監視回路から発せられた電圧低下信号に応じて電力供給停止時処理を開始してから電力供給停止時処理が確実に完了するまでの期間である。）を備え、前記第２の電源監視手段は、前記第１の電源監視手段が前記第１の検出信号を出力した後に前記第２の電源監視手段が前記第２の検出信号を出力するまでに前記第１の電気部品制御マイクロコンピュータが前記電力供給停止時処理を完了するように設定された前記第２の検出電圧になったときに前記第１の電気部品制御マイクロコンピュータに前記第２の検出信号を出力（リセットＩＣ６５１は、第１の電源監視回路が監視する電源電圧と等しい電源電圧である電源電圧ＶSLを監視して、電圧値が所定値（第１の電源監視回路が電圧低下信号を出力する電源電圧値よりも低い値）以下になるとローレベルの電圧低下信号を発生する。したがって、ＣＰＵ５６は、第１の電源監視回路からの電圧低下信号に応じて所定の電力供給停止時処理を行なった後、システムリセットされる。：そして、たとえば、第１の電源監視回路の検出電圧（電圧低下信号を出力することになる電圧）を＋２２Ｖとし、第２の電源監視回路の検出電圧を＋９Ｖとする。そのように構成した場合には、第１の電源監視回路と第２の電源監視回路とは、同一の電源の電圧ＶSLを監視するので、第１の電源監視回路が電圧低下信号を出力するタイミングと第２の電圧監視回路が電圧低下信号を出力するタイミングとの差を所望の所定時間に確実に設定することができる。所望の所定時間とは、第１の電源監視回路から発せられた電圧低下信号に応じて電力供給停止時処理を開始してから電力供給停止時処理が確実に完了するまでの期間である。）し、前記第１の電気部品制御マイクロコンピュータは、前記第２の検出信号の入力に応じて動作停止状態とされ、電力供給開始時に、前記チェックデータにもとづくチェックを行い、チェック結果が正常であれば前記記憶手段に保持されている保持データにもとづいて制御を再開させること（図４１：遊技機に対する電源が投入されると、メイン処理において、ＣＰＵ５６は、まず、必要な初期設定を行なう（ステップＳ１）。：電源断時にバックアップＲＡＭ領域のデータ幅を処理（本例ではパリティデータの負荷等の停電発生ＮＭＩ処理）が行なわれた否かの確認を行なう（ステップＳ２）。不測の電源断が生じた場合には、後述するようにバックアップＲＡＭ領域のデータを保護するための処理が行なわれている。そのような保護処理が行なわれていた場合をバックアップありとする。：バックアップＲＡＭ領域にバックアップデータがある場合には、この実施の形態では、ＣＰＵ５６は、バックアップＲＡＭ領域のデータチェック（この例ではパリティチェック）を行なう（ステップＳ４）。不測の電源断が生じた後に復旧した場合には、バックアップＲＡＭ領域のデータが保存されていたはずであるから、チェック結果は正常になる。：チェック結果が正常であれば、ＣＰＵ５６は、内部状態を電源断時の状態に戻すための遊技状態復旧処理を行なう（ステップＳ６）。…そして、バックアップＲＡＭ領域に保存されていたＰＣ（プログラムカウンタ）の指すアドレスに復帰する（ステップＳ７）。）を特徴とする。
【手続補正３】
【補正対象書類名】明細書
【補正対象項目名】０００７
【補正方法】変更
【補正の内容】
【０００７】
請求項２に記載の本発明は、請求項１に記載の発明の構成に加えて、前記第１の電気部品制御基板は、遊技を制御するための遊技制御マイクロコンピュータを備えた遊技制御基板（第１の電気部品制御手段は、遊技を制御するための遊技制御手段（主基板３１）を含み）を含み、前記第２の電気部品制御基板は、前記遊技制御マイクロコンピュータから出力された電気信号に基づいて画像を可変表示させる可変表示手段を制御する表示制御マイクロコンピュータを備えた表示制御基板（第２の電気部品制御手段は、前記遊技制御手段から出力された電気信号に基づいて画像を可変表示させる可変表示手段（可変表示器１０）を制御する表示制御手段（表示制御基板８０）を含んでいる。）を含んでいる。
【手続補正４】
【補正対象書類名】明細書
【補正対象項目名】０００８
【補正方法】変更
【補正の内容】
【０００８】
請求項３に記載の本発明は、請求項１または請求項２に記載の発明の構成に加えて、前記第２の電気部品制御基板は、電気部品の制御に必要な電力を作成する電力作成手段（スイッチグレギュレータ１０９）を有している。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項４に記載の本発明は、請求項１〜請求項３のいずれかに記載の発明の構成に加えて、前記電源基板は、遊技の進行に応じた所定条件の成立により遊技価値を付与する制御を行なうための価値付与制御マイクロコンピュータを備えた価値付与制御基板（払出制御基板３７）へ必要な電力を直接供給する。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
【作用】
請求項１に記載の本発明によれば、以下の作用がある。複数の電気部品は、供給された電力により動作する。電源基板の第１の電気部品制御基板には、複数の電気部品それぞれを制御する第１の電気部品制御マイクロコンピュータが備えられている。電源基板の第２の電気部品制御基板には、複数の電気部品それぞれを制御する第２の電気部品制御マイクロコンピュータが備えられている。電源基板の遊技球検出手段の働きにより、遊技球が流下する遊技領域に設けられた入賞領域に入賞したことが検出され、第１の電気部品制御手段に検出信号が出力される。電源基板の整流手段の働きにより、交流電源からの交流電圧が直流電圧に変換される。電源基板の直流電圧生成手段の働きにより、整流手段によって交流電圧から変換された直流電圧から、該直流電圧よりも低い電圧であって遊技球検出手段に供給される第１の直流電圧と、遊技球検出手段に供給される直流電圧よりも低く第１の電気部品制御マイクロコンピュータの駆動電源電圧である第２の直流電圧とが生成される。第１の電源監視手段の働きにより、整流手段によって交流電圧から変換された直流電圧が監視され、該直流電圧が第１の直流電圧よりも高い電圧である第１の検出電圧に低下したことが検出されたときに第１の検出信号が出力される。電源基板から第１の直流電圧と第２の直流電圧とが、第１の電気部品制御基板に直接供給される。第１の電気部品制御基板を介して直流電圧が、第２の電気部品制御基板に供給される。第１の電気部品制御マイクロコンピュータの働きにより、電力供給開始時に、電力供給停止直前の内容を保持することが可能な記憶手段に保持されている保持データにもとづいて制御を再開させることが可能となり、第１の検出信号の入力により所定期間内で実行可能な所定の電力供給停止時処理が実行され、該電力供給停止時処理にて、記憶手段の記憶内容に関連した演算の結果得られるチェックデータを記憶手段に保存する処理が実行される。第１の電気部品制御マイクロコンピュータの第２の電源監視手段の働きにより、第１の電源監視手段が監視する直流電圧と同一の直流電圧が監視され、該直流電圧が、第１の検出電圧よりも低く、第１の電気部品制御マイクロコンピュータの駆動電源電圧よりも高く設定された第２の検出電圧になったときに第２の検出信号が出力される。第１の電気部品制御マイクロコンピュータの第２の電源監視手段の働きにより、第１の電源監視手段が第１の検出信号を出力した後に第２の電源監視手段が第２の検出信号を出力するまでに第１の電気部品制御マイクロコンピュータが電力供給停止時処理を完了するように設定された第２の検出電圧になったときに第１の電気部品制御マイクロコンピュータに第２の検出信号が出力される。第１の電気部品制御マイクロコンピュータの働きにより、第２の検出信号の入力に応じて動作停止状態とされ、電力供給開始時に、チェックデータにもとづくチェックが行なわれ、チェック結果が正常であれば記憶手段に保持されている保持データにもとづいて制御が再開される。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
請求項２に記載の本発明によれば、請求項１に記載の発明の作用に加えて、第１の電気部品制御基板に含まれる遊技制御基板の遊技制御マイクロコンピュータの働きにより、遊技が制御される。第２の電気部品制御基板に含まれる表示制御基板の表示制御マイクロコンピュータの働きにより、遊技制御マイクロコンピュータから出力された電気信号に基づいて画像を可変表示させる可変表示手段が制御される。
【手続補正１５】
【補正対象書類名】明細書
【補正対象項目名】００１９
【補正方法】変更
【補正の内容】
【００１９】
請求項３に記載の本発明によれば、請求項１または請求項２に記載の発明の作用に加えて、第２の電気部品制御基板の電力作成手段の働きにより、電気部品の制御に必要な電力が作成される。
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】変更
【補正の内容】
【００２１】
請求項４に記載の本発明によれば、請求項１〜請求項３のいずれかに記載の発明の作用に加えて、電源基板の働きにより、遊技の進行に応じた所定条件の成立により遊技価値を付与する制御を行なうための価値付与制御マイクロコンピュータを備えた価値付与制御基板へ必要な電力が直接供給される。
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】０３５３
【補正方法】変更
【補正の内容】
【０３５３】
【課題を解決する手段の具体例の効果】
請求項１に記載の本発明によれば、第２の電気部品制御基板には第１の電気部品制御基板を介して電力が供給されるため、電源基板に、電源基板と第２の電気部品制御基板と接続するためのコネクタを設ける必要がなくなる。それにより、電源基板に設けるコネクタの数を低減することができるため、電源基板の構造が簡単となる。また、電力供給停止時に確実なデータ保存が行なわれ、遊技者に不利益がもたらされることが防止される。また、第１の電源監視手段が第１の検出信号を出力するタイミングと第２の電源監視手段が第２の検出信号を出力するタイミングとの差を所望の所定時間に確実に設定することができる。さらに、チェックデータにもとづくチェックによって記憶内容保存の確実化が図られる。
【手続補正２４】
【補正対象書類名】明細書
【補正対象項目名】０３５４
【補正方法】変更
【補正の内容】
【０３５４】
請求項２に記載の本発明によれば、請求項１に記載の発明の効果に加えて、以下のような効果がある。本発明においては、第１の電気部品制御基板が、遊技を制御するための遊技制御マイクロコンピュータを備えた遊技制御基板を含み、第２の電気部品制御基板が、遊技制御マイクロコンピュータから出力された電気信号に基づいて画像を可変表示させる可変表示手段を制御する表示制御マイクロコンピュータを備えた表示制御基板を含む。そのため、電源基板と表示制御基板とを接続するためのコネクタを電源基板に設ける必要がなくなる。それにより、機種変更にともない表示制御基板を必要としなくなる場合において、電源基板には未接続のコネクタが存在しなくなる。その結果、未接続のコネクタが存在することによって生じる、電源基板の未接続のコネクタから不正制御を行なうための情報が入力されるおそれがなくなる。したがって、機種変更にともなって生じる不正制御を予め防止するような構造にすることができる。
【手続補正２５】
【補正対象書類名】明細書
【補正対象項目名】０３５５
【補正方法】変更
【補正の内容】
【０３５５】
請求項３に記載の本発明によれば、請求項１または請求項２に記載の発明の効果に加えて、第２の電気部品制御基板は、電気部品の制御に必要な電力を作成する電力作成手段を有しているため、外部に第２の電気部品制御基板に必要な電力を作成する電力作成手段を設ける必要がなくなる。
【手続補正２６】
【補正対象書類名】明細書
【補正対象項目名】０３５６
【補正方法】削除
【補正の内容】
【手続補正２７】
【補正対象書類名】明細書
【補正対象項目名】０３５７
【補正方法】変更
【補正の内容】
【０３５７】
請求項４に記載の本発明によれば、請求項１〜請求項３のいずれかに記載の発明の効果に加えて、電源基板が遊技の進行に応じた所定条件の成立により遊技価値を付与する制御を行なうための価値付与制御マイクロコンピュータを備えた価値付与制御基板へ必要な電力を直接供給するため、第１の電気部品制御基板は価値付与制御基板へ電力を供給するための端子等を備える必要がなくなる。その結果、第１の電気部品制御基板の構造が簡単となる。
【手続補正２８】
【補正対象書類名】明細書
【補正対象項目名】０３５８
【補正方法】削除
【補正の内容】
【手続補正２９】
【補正対象書類名】明細書
【補正対象項目名】０３５９
【補正方法】削除
【補正の内容】
【手続補正３０】
【補正対象書類名】明細書
【補正対象項目名】０３６０
【補正方法】削除
【補正の内容】
【手続補正３１】
【補正対象書類名】明細書
【補正対象項目名】０３６１
【補正方法】削除
【補正の内容】
【手続補正３２】
【補正対象書類名】明細書
【補正対象項目名】０３６２
【補正方法】削除
【補正の内容】